(57)【要約】【課題】電気調理器等が通電台から離れて通電台が空載状態になると、通電台の導通端子への通電が切断され、水滴や異物の進入による短絡や、導通端子への接触による感電を防ぐことができて、安全性の高い通電装置を提供すること。【解決手段】通電台５の上面に、その定位置へ載置された被通電機器１の導電端子６１，６２，６３と接触する接触端子５３，５３０を設置し、接触端子５３，５３０と電源２３との間に圧接スイッチ５１を介在し、通電台５の上面にスリット５２を形成し、圧接スイッチ５１を通電台５の内部において、スリット５２の奥部に設置し、被通電機器１の底面に設けた圧接体６０をスリット５２に嵌合することにより、圧接スイッチ５１を閉じて電源２３と接触端子５３，５３０とを接続する。【選択図】　　図４
0003097275.tif 000002
【実用新案登録請求の範囲】
【請求項１】
通電台の上面に、その定位置へ載置された被通電機器の導電端子と接触する接触端子を設置し、該接触端子と電源との間に圧接スイッチを介在し、前記通電台の上面にスリットを形成すると共に、前記圧接スイッチを前記通電台の内部において、前記スリットの奥部に設置し、前記被通電機器の底面に設けた圧接体を前記スリットに嵌合することにより、前記圧接スイッチを閉じて前記電源と接触端子とを接続することを特徴とした通電装置。
【請求項２】
前記通電台の外周部に環状の突条を設けると共に、該突条に複数の位置決め溝を適宜間隔毎に形成し、前記被通電機器の底部に設けられた突起を前記位置決め溝へ嵌合することにより、前記通電台の定位置へ前記被通電機器が保持される請求項１に記載の通電装置。
【請求項３】
前記通電台のスリットが円周に沿って配置され、前記圧接体が前記円と同径のリング状に形成されている請求項１又は２に記載の通電装置。
【考案の詳細な説明】
【０００１】
【考案の属する技術分野】
本考案は、電気調理器等へ通電するのに好適な通電装置に関する。
【０００２】
【従来の技術】
電気ポット、電気鍋等の電気調理器へ通電するには、電源コードを電気調理器の電熱装置に接続し、スイッチ操作で導電するのが一般的であった。
また、電気調理器をより扱いやすくするために、最近では、通電台を用いて電気調理器に通電する方法が知られている。通電台の上面には電極が露出すると共に、常に給電状態にあり、通電台と対面する電気調理器の底面に、電力を接導する通電構造を設け、電気調理器を通電台の上面に載置することによって、電気調理器に通電できるようになっている。
【０００３】
ところが、このような従来の通電台は、電気調理器に水滴が付着していたり、通電台の上面に手を触れたりすると、感電する危険があって、安全性に欠ける。
そこで、通電台の上面にリング状の接導溝を形成し、導電端子を接導溝の垂直面に設置して、手指が導電端子に接触する危険を回避する構造が提案されている。しかし、通電台の導電端子には常に給電されており、水滴や異物が接導溝に入り込むと、短絡する危険が避けられない。
【０００４】
この構造をポットに採用した例について、図１及び図２に詳細に示す。ポット１の底面１３の中央に導電溝３を形成すると共に、外縁部を環状の嵌合端部１３１とし、取っ手１１の近傍にスイッチ１２を設置する。
導電溝３は下端が開口しており、その中心に導電棒３１が設置され、導電棒３１の周囲に導電リング３２，３３が同心状に設置されている。導電棒３１及び導電リング３２，３３は、スイッチ１２を有する回路（図示せず）を介して、ポット１内部に配置された加熱器１０へ接続されている。
【０００５】
通電台２の上面に、上端が開口した差し込み部４を突設し、差し込み部４の中心に中心電極片４１を設置すると共に、中心電極片４１の周囲に環状の電極片４２，４３を同心状に設置する。
各電極片４１，４２，４３は、電源２３から常に給電状態にある。また、各電極片４１，４２，４３の間にはリング溝４０が形成され、中心電極片４１の中心には挿入穴４１０が形成される。
また、通電台２の上面外周部には、位置決めリング２１が設けられる。
【０００６】
そして、通電台２の上面にポット１の底面１３を載せ、ポット１の嵌合端部１３１の内周に通電台２の位置決めリング２１を係合すると、位置決めリング２１の外側の外端部２２に嵌合端部１３１の下端が当接して、ポット１が一定の高さに支持され、ポット１の導電溝３へ通電台２の差し込み部４が所定深さまで挿入される。
この結果、通電台２の中心電極片４１及び電極片４２，４３と、ポット１の導電棒３１及び導電リング３２，３３とが接続され、ポット１の加熱器１０に電力が供給される。
【０００７】
しかしながら、上記したように通電台２の中心電極片４１及び電極片４２，４３は、常に給電状態にあるため、中心電極片４１及び電極片４２，４３へ接触して感電したり、差し込み部４へ異物が入り込んで電極片４１，４２，４３が短絡する虞れがある。
特に、差し込み部４は、ポット１を下方へ差し込みやすいように、真っ直ぐ上方に向かって突出し、その上面全体が開口しているため、水滴や異物が侵入しやすい。
【０００８】
【考案が解決しようとする課題】
本考案の目的は、電気調理器等が通電台から離れて通電台が空載状態になると、通電台の接触端子への通電が切断され、水滴や異物の進入による短絡や、導通端子への接触による感電を防ぐことができて、安全性の高い通電装置を提供することにある。
【０００９】
【課題を解決するための手段】
本考案の通電装置は、通電台の上面に、その定位置へ載置された被通電機器の導電端子と接触する接触端子を設置し、該接触端子と電源との間に圧接スイッチを介在し、前記通電台の上面にスリットを形成すると共に、前記圧接スイッチを前記通電台の内部において、前記スリットの奥部に設置し、前記被通電機器の底面に設けた圧接体を前記スリットに嵌合することにより、前記圧接スイッチを閉じて前記電源と接触端子とを接続する。
【００１０】
被通電機器を通電台の定位置へ載置すると、被通電機器の導電端子と通電台の接触端子とが接触し、同時に、被通電機器の圧接体が通電台のスリットへ嵌合して、圧接スイッチが閉じ、電源から圧接スイッチ、接触端子及び導電端子を介して被通電機器へ通電される。
被通電機器を通電台から取り去ると、被通電機器の圧接体が通電台のスリットから抜け出し、圧接スイッチが開いて接触端子への給電が停止する。
【００１１】
前記通電台の外周部に環状の突条を設けると共に、該突条に複数の位置決め溝を適宜間隔毎に形成し、前記被通電機器の底部に設けられた突起を前記位置決め溝へ嵌合することにより、前記通電台の定位置へ前記被通電機器を保持しても良い。これにより、被通電機器を簡単に通電台の定位置へ載置して、確実に通電することができる。また、通電台上へ載置した被通電機器が回転して、端子表面が摩耗するのを防ぐ。
被通電機器を通電台に対してどの向きに載置しても通電されるように、前記通電台のスリットを円に沿って配置し、前記圧接体が前記円と同径のリング状に形成するのが望ましい。
【００１２】
【考案の実施の形態】
以下、図３及び図４に基づき、ポット１より成る被通電機器用の通電装置である実施形態について詳細に説明する。
通電台５は、平面円形の中空体より成り、上面の中心に接触端子５３０が突出すると共に、その周囲に複数の接触端子５３が突出している。なお、本実施形態においては、径の異なる２つの円周上にそれぞれ接触端子５３が配置されているが、それ以上の数の円周上に接触端子５３を配置することも可能であり、中心の接触端子５３０は通電台５の底面から延長しても良い。
【００１３】
通電台５の外周部には環状の突条５０が形成され、突条５０には、複数の位置決め溝５４が適宜間隔毎に形成されている。
また、通電台５の上面には、２本のスリット５２が１本の円に沿って形成され、通電台５の内部において、スリット５２の奥部には、それぞれ圧接スイッチ５１が設置される。
そして、圧接スイッチ５１の一端に設けられた入力端子５１２が、外部電源と接続可能な電源２３に接続され、圧接スイッチ５１の他端に設けられた出力端子５１３が、接触端子５３，５３０に接続されている。
【００１４】
圧接スイッチ５１は、圧力を受けて下降すると共に、上方に向かって付勢されているスライド片５１１を有する。
スライド片５１１は、導電材より成り、下降すると入力端子５１２及び出力端子５１３に接触し、この結果、圧接スイッチ５１が閉じて、電源２３と接触端子５３，５３０とが接続され、電源２３から接触端子５３，５３０へ給電される。
一方、スライド片５１１が上昇すると、圧接スイッチ５１が開き、電源２３から接触端子５３，５３０への給電が停止される。
なお、スリット５２は幅２ｍｍ〜３ｍｍ程度の細いものであり、手指を挿入して圧接スイッチ５１を開閉操作することはできないようになっている。
【００１５】
ポット１の底面外周部には、通電台５の位置決め溝５４と係合可能な突起１４が設けられる。ポット１を通電台５の上面に載置して、突起１４を通電台５の位置決め溝５４へ係合すると、ポット１が通電台５の上面定位置へ保持される。
また、ポット１の底面には、ポット１を通電台５の上面定位置に載置したとき、スリット５２と嵌合するリング状の圧接体６０が突設される。圧接体６０はスリット５２へ嵌合すると、その奥部に設置された圧接スイッチ５１のスライド片５１１を押し下げ、圧接スイッチ５１を閉じるようになっている。
【００１６】
ポット１の底面には、通電台５の内径と対応する円形状の導電プレート６が装着される。導電プレート６の中心には、ポット１を通電台５の定位置へ載置したときに、通電台５の接触端子５３０と接触する導電端子６１が設けられ、その周囲には、通電台５の接触端子５３と接触するリング状の導電端子６２，６３が設けられる。
２本のリング状の導電端子６２，６３は、互いに異なる径を有し、導電端子６１、導電端子６２及び導電端子６３はそれぞれ異なる回路を介して異なる３つの加熱器に接続されている。
なお、加熱器はＰＴＣ（正温度係数セラミック抵抗）加熱体等より成り、リング状の導電端子を３本以上設けて、加熱器の数を増やすこともできる。
【００１７】
ポット１を通電台５の定位置へ載置すると、ポット１の導電端子６１，６２，６３と通電台５の接触端子５３０，５３とが接触し、同時に、スリット５２に嵌合した圧接体６０に押されてスライド片５１１が下降し、これにより、圧接スイッチ５１が閉じて電源２３から接触端子５３０，５３へ給電されると共に、接触端子５３０，５３に接触した導電端子６１，６２，６３を介してポット１の加熱器に導電される。
なお、通電台５のスリット５２及び接触端子５３は円周に沿って配置され、ポット１の圧接体６０及び導電端子６２，６３はリング状に形成されているので、ポット１は通電台５に対してどの向きに載置しても導電することができる。
【００１８】
また、位置決め溝５４と突起１４とを係合すると、ポット１は周方向に回転することができず、導電端子６１，６２，６３と接触端子５３０，５３とが摩擦して端子表面が摩耗した結果、コロナ放電や電力遮断が発生するのを防ぐことができる。
ポット１を通電台５から取り外すと、ポット１の圧接体６０が通電台５のスリット５２から抜け出し、スライド片５１１が付勢力によって上昇し、圧接スイッチ５１が開いて接触端子５３０，５３への給電が停止する。
【００１９】
【考案の効果】
請求項１に係る考案によれば、被通電機器を通電台に載置したときのみに、通電台の接触端子に給電され、しかも、圧接スイッチはスリットの奥部に配置されて、通常の操作状態では開閉操作することができないので、水滴や異物の侵入による短絡、及び、接触端子への接触による感電を防ぐことができて、安全性が高い。
請求項２に係る考案によれば、被通電機器を簡単に通電台の定位置へ保持することができ、また、被通電機器が周方向に回転して、通電端子と接触端子の表面が摩耗し、コロナ放電や電力遮断が発生するのを防ぐことができる。
請求項３に係る考案によれば、被通電機器を通電台に対してどの向きに載置しても、確実に通電することが可能である。
【図面の簡単な説明】
【図１】従来の通電台及びポットの斜視図。
【図２】従来の通電台及びポットの断面図。
【図３】本考案の実施形態を示す通電台の斜視図。
【図４】本考案の実施形態を示す通電台及びポットの要部破断斜視図。
【符号の説明】
１　ポット（被通電機器）
１４　突起
２３　電源
５　通電台
５０　突条
５１　圧接スイッチ
５１１　スライド片
５１２　入力端子
５１３　出力端子
５２　スリット
５３　接触端子
５３０　接触端子
５４　位置決め溝
６　導電プレート
６０　圧接体
６１　導電端子
６２　導電端子
６３　導電端子
【図１】
0003097275.tif 000003
【図２】
0003097275.tif 000004
【図３】
0003097275.tif 000005
【図４】
0003097275.tif 000006